(57)【要約】【課題】  撮影者情報をサムネイルにアイコン表示することで、ユーザが画像データの撮影者を簡単に知ることができ、また各撮影者ごとによる画像データの整理を可能にすることを目的とする。【解決手段】  画像データを記録する撮影装置において、撮影予定者の識別データを入力する入力手段と、入力された撮影者情報を保存し、撮影時に撮影者を識別して、識別した撮影者に該当する撮影者情報を検索する手段と、この撮影者情報を撮影した画像に関連づけて記録する記録手段と、記録されている画像ファイルの縮小画像（サムネイル）に撮影者情報に対応したアイコンを表示し、一定の配列形式で並べた一覧表示を行う機能を有している情報表示手段と、各撮影者別の統計撮影時間、統計記録容量を表示する機能とを備えた撮影装置。【選択図】        図１
2005260441.tif 000002
【特許請求の範囲】
【請求項１】
画像データを記録する撮影装置において、撮影予定者の識別データを入力する入力手段と、入力された撮影者情報を保存し、撮影時に撮影者を識別して、識別した撮影者に該当する撮影者情報を検索する手段と、この撮影者情報を撮影した画像に関連づけて記録する記録手段と、記録されている画像ファイルの縮小画像（サムネイル）に撮影者情報に対応したアイコンを表示し、一定の配列形式で並べた一覧表示を行う機能を有している情報表示手段と、各撮影者別の統計撮影時間、統計記録容量を表示する機能とを備えたことを特徴とする撮影装置。
【請求項２】
録画開始の指示が入力されると撮影者が撮影者リストにあるかないかの情報を検索する機能を備えた請求項１に記載の撮影装置。
【請求項３】
撮影した画像の画像情報と、その画像を撮影した撮影者情報との関連情報を保持する記憶手段を備えたことを特徴とする請求項１に記載の撮影装置。
【請求項４】
撮影者の撮影者情報が撮影者リストに記憶されていた場合には、サムネイル一覧表示の際に、撮影者情報を画像に関連づけて表示し、一方、撮影者の撮影者情報を記憶していない場合には、撮影者リストに情報がないことをディスプレイに表示してユーザに知らせ、新たに撮影者情報を記録して、サムネイルに撮影者情報を表示する表示手段を備えたことを特徴とする請求項１に記載の撮影装置。
【請求項５】
サムネイルの関連情報表示領域に撮影者情報を表示する際に、撮影者情報をアイコンで表示する表示手段を備えたことを特徴とする請求項１に記載の撮影装置。
【請求項６】
さらに撮影者情報に関係する補助情報を作成する情報作成手段を有し、前記作成手段により作成された補助情報を、関係するアイコンに対応させて表示することを特徴とする請求項５に記載の撮影装置。
【請求項７】
画像編集時に、画像ファイルを時系列、撮影者別にソートして一覧表示する機能を備えたことを特徴とする請求項１に記載の撮影装置。
【請求項８】
各撮影者による撮影時間の統計、記録容量の統計などを表示する表示手段を備えたことを特徴とする請求項１に記載の撮影装置。
【請求項９】
撮影者情報をもつ複数の画像データから、特定の撮影者情報をもつ画像データを選択する選択手段と、選択された撮影者情報をもつ画像データを検索する検索手段と、検索結果を縮小画像に縮小して一覧表示する表示手段を備えたことを特徴とする請求項１に記載の撮影装置。
【発明の詳細な説明】
【技術分野】
【０００１】
本発明は、画像データを記録する撮影装置において、撮影者の情報を識別し、撮影者情報を画像に関連づけて記録できる撮影装置に関する。
【背景技術】
【０００２】
従来、複数のデジタル画像データを記録可能な撮影装置では、画像データを編集する際に、複数の縮小画像（サムネイル）を所定の配列形式で並べて一覧表示を行う機能を使用することが多い。
【０００３】
一覧表示には関連情報として、日付、撮影条件、データ名、データ容量等がサムネイルに付け加えられて表示される。また、表示する順番は、画像データの作成日時順やデータ名順、サイズ順などで表示するのが一般的である。
【０００４】
このように画像データを一覧表示することで、利用者が画像データを編集する際に、簡単に目的の画像データを把握することが可能となる。
【特許文献１】特開平０７−１８４１６０号公報
【発明の開示】
【発明が解決しようとする課題】
【０００５】
しかしながら前述の従来例においては、サムネイル表示部には、関連情報としてファイル名と日付等の情報もしくは撮影対象の情報が表示されるのであって、撮影者の情報は記録されておらず、誰が撮影したものなのかが分からない。
【０００６】
また、従来のファイル管理ソフトでは、画像データを撮影者別にソートする機能や、撮影者別の撮影時間の統計、撮影容量の統計などを表示する手段がない。
【０００７】
従って、本発明の目的は、録画時に撮影者の情報を識別し、画像に関連づけて記録することができ、また他の目的として、得られた撮影者情報をサムネイル表示部にアイコン表示することによって、利用者が撮影者の情報を効率よく知ることができる撮影装置を提供することにある。
【課題を解決するための手段】
【０００８】
上記目的を達成するため、請求項１に係る撮影装置は、画像データを記録する撮影装置において、撮影予定者の識別データを入力する入力手段と、入力された撮影者情報を保存し、撮影時に撮影者を識別して、識別した撮影者に該当する撮影者情報を検索する手段と、この撮影者情報を撮影した画像に関連づけて記録する記録手段と、記録されている画像ファイルの縮小画像（サムネイル）に撮影者情報に対応したアイコンを表示し、一定の配列形式で並べた一覧表示を行う機能を有している情報表示手段と、各撮影者別の統計撮影時間、統計記録容量を表示する機能を備えることとした。
【０００９】
請求項２に係る撮影装置は、請求項１に係る撮影装置において、録画開始の指示が入力されると撮影者が撮影者リストにあるかないかの情報を検索する機能を備えることとした。
【００１０】
請求項３に係る撮影装置は、請求項１に係る撮影装置において、撮影した画像の画像情報と、その画像を撮影した撮影者情報との関連情報を保持する記憶手段を備えることとした。
【００１１】
請求項４に係る撮影装置は、請求項１に係る撮影装置において、撮影者の撮影者情報が撮影者リストに記憶されていた場合には、サムネイル一覧表示の際に、撮影者情報を画像に関連づけて表示し、一方、撮影者の撮影者情報を記憶していない場合には、撮影者リストに情報がないことをディスプレイに表示してユーザに知らせ、新たに撮影者情報を記録して、サムネイルに撮影者情報を表示する表示手段を備えることとした。
【００１２】
請求項５に係る撮影装置は、請求項１に係る撮影装置において、サムネイルの関連情報表示領域に撮影者情報を表示する際に、撮影者情報をアイコンで表示する表示手段を備えることとした。
【００１３】
請求項６に係る撮影装置は、請求項１に係る撮影装置において、さらに撮影者情報に関係する補助情報を作成する情報作成手段を有し、前記作成手段により作成された補助情報を、関係するアイコンに対応させて表示することを特徴とする撮影装置。
【００１４】
請求項７に係る撮影装置は、請求項１に係る撮影装置において、画像編集時に、画像ファイルを時系列、撮影者別にソートして一覧表示する機能を備えることとした。
【００１５】
請求項８に係る撮影装置は、請求項１に係る撮影装置において、各撮影者による撮影時間の統計、記録容量の統計などを表示する表示手段を備えることとした。
【００１６】
請求項９に係る撮影装置は、請求項１に係る撮影装置において、撮影者情報をもつ複数の画像データから、特定の撮影者情報をもつ画像データを選択する選択手段と、選択された撮影者情報をもつ画像データを検索する検索手段と、検索結果を縮小画像に縮小して一覧表示する表示手段を備えることとした。
【発明の効果】
【００１７】
本発明によれば、画像データを記録する撮影装置において、撮影予定者の識別データを入力する入力手段と、入力された撮影者情報を保存し、撮影時に撮影者を識別して、識別した撮影者に該当する撮影者情報を検索する手段と、この撮影者情報を撮影した画像に関連づけて記録する記録手段と、記録されている画像ファイルの縮小画像（サムネイル）に撮影者情報に対応したアイコンを表示し、一定の配列形式で並べた一覧表示を行う機能を有している情報表示手段と、各撮影者別の統計撮影時間、統計記録容量を表示する機能を備えたことにより、画像データ編集時にその画像データを誰が撮影したものなのかをユーザが容易に判別することが出来、またその撮影者情報に基づいて画像データをソートすることが出来る。
【００１８】
また、録画開始の指示が入力されると、撮影者が撮影者リストにあるかないかの情報を検索する機能を備えたことにより、予め撮影者リストに撮影者情報を入力しておけば、撮影する度に撮影者情報を入力する手間を省くことが出来る。
【００１９】
また、撮影した画像の画像情報と、その画像を撮影した撮影者情報との関連情報を保持する記憶手段を備えたことにより、ユーザは画像データから誰が撮影したものなのかを判別することが出来る。
【００２０】
さらに、撮影者の撮影者情報が撮影者リストに記憶されていた場合には、サムネイル一覧表示の際に、撮影者情報を画像に関連づけて表示し、一方、撮影者の撮影者情報を記憶していない場合には、撮影者リストに情報がないことをディスプレイに表示してユーザに知らせ、新たに撮影者情報を記録して、サムネイルに撮影者情報を表示する表示手段を備えたことにより、ユーザは撮影者情報が撮影者リストに登録されているのかいないのかを把握することが出来る。
【００２１】
また、サムネイルの関連情報表示領域に撮影者情報を表示する際に、撮影者情報をアイコンで表示する手段を備えることにより、ユーザは、誰が撮影した画像なのかを容易に識別することが出来る。
【００２２】
また、撮影者情報に関係する補助情報を作成する情報作成手段を有し、前記作成手段により作成された補助情報を、関係するアイコンに対応させて表示する特徴を備えることにより、より画像データの情報を詳しく知ることが出来る。
【００２３】
また、画像編集時に、画像ファイルを時系列、撮影者別にソートして一覧表示する機能を備えることにより、ユーザは、撮影者各々のデータを整理することが出来る。
【００２４】
また、各撮影者による撮影時間の統計、記録容量の統計などを表示する表示手段を備えることにより、ユーザは各撮影者による撮影時間、統計記録容量などを知ることが出来る。
【００２５】
さらに、撮影者情報をもつ複数の画像データから、特定の撮影者情報をもつ画像データを選択する選択手段と、選択された撮影者情報をもつ画像データを検索する検索手段と、検索結果を縮小画像に縮小して一覧表示する表示手段を備えることにより、ユーザは簡単に目的の画像データを選択できる。
【発明を実施するための最良の形態】
【００２６】
以下に、本発明の実施形態について、図面を参照して詳細に説明する。
【００２７】
図１は、本発明を実現するためのシステム構成概略ブロック図の一例を示している。
【００２８】
図１において、１０１は撮影装置全体を制御するシステムコントローラ、１０３は画像のサイズを縮小、拡大する画像リサイズ部、１０５は圧縮された画像データを伸張するデコーダ部、１０７は撮影者の指紋を認識する指紋センサ、１０９は、液晶モニタなどの画像を表示するディスプレイ、１１１は使用者とのインタフェースとなる操作キー、１１３は、画像リサイズ部１０３とデコーダ部１０５で処理された画像データを記録、保持しておく画像メモリ、１１５は記録媒体とのインタフェース、１１７はディスクなどランダムアクセス可能な記録媒体である。上記の１０１〜１１７で撮影装置を構成している。
【００２９】
通常の再生は、記録媒体１１７からＩ／Ｆ部１１５がデータを読み取りデコーダ部１０５が復号伸張を行い、画像メモリ１１３に展開する。展開した画像データを画像リサイズ部１０３が読み取り拡大、または縮小してディスプレイ１０９に表示する。
【００３０】
画像データは、システムコントローラ１０１によりインタフェース１１５を通して、記録媒体１１７に記録される。ここで画像データのイメージ図を図２に示す。画像データは、実画像データと画像データの付加情報であるヘッダとフッタで構成されている。通常、ヘッダ領域には画像データの作成日時、データサイズなどの付加情報が記録されており、本実施形態においては、撮影者情報はフッタ領域に格納される。フッタ領域に格納された撮影者情報には、撮影者リストにおける撮影者ナンバー、撮影の統計時間が含まれる。
【００３１】
次に、記録媒体１１７に記録されている撮影者リストのイメージ図を図３に示す。撮影者リストには、撮影者情報ナンバー、サムネイルにアイコン表示する撮影者の顔写真、また撮影者の氏名が撮影者情報として記録されている。
【００３２】
ここで、図１の撮影装置の動作を、録画時の基本的な流れから説明する。図４は、本発明に係る撮影者情報を識別し、その撮影者情報を録画した画像ファイルの後ろに格納する際のシステムコントローラ１０１の動作フローチャートである。
【００３３】
記録媒体１１７を撮影装置にセットして録画を開始すると、まず指紋センサ１０７が作動して撮影者の指紋を認識する（Ｓ４０１）。システムコントローラ１０１は、指紋センサ１０７で得られた指紋データが撮影者リストにあるかないかを判断する（Ｓ４０３）。Ｎｏならば新たに撮影者リストに撮影者情報を加える（Ｓ４０５）。撮影者リストに撮影者情報があったならば、Ｓ４０７で撮影者リストから撮影者情報を取得し、Ｓ４０９で選択された撮影者情報をサムネイルとして作成する。サムネイル作成後、作成したサムネイルを録画した画像ファイルの後ろに付けて格納する。（Ｓ４１１）。撮影装置は、以上のような動作を行うことで録画を行う。
【００３４】
なお、図１のシステム構成図では、撮影者の認識を指紋センサ１０７を用いて実現したが、虹彩認識による方法や、声紋認識による方法で実現してもよい。また、ユーザ自身が録画時に操作キー１１１を用いて、ディスプレイ１０９に表示されている撮影者リストから撮影者ナンバーを選択し、システムコントローラ１０１が選択された撮影者情報を含むサムネイルを作成するという方法でも良いということはいうまでもない。
【００３５】
図５は、画像データ編集の際に、撮影者Ａの録画したサムネイルだけを表示させる場合のシステムコントローラ１０１の動作フローチャートである。図５において、まず、ユーザが操作キー１１１により、撮影者リストから撮影者Ａの情報を選択する。（Ｓ５０１）。システムコントローラ１０１は、選択された撮影者Ａの情報をもつサムネイルを記憶媒体１１７から検索する（Ｓ５０３）。Ｓ５０５で、撮影者Ａに対応するサムネイルを画像ファイルから読み出し、この読み出したサムネイルをディスプレイ１０９に一覧表示する（Ｓ５０７）。
【００３６】
図６−１乃至図６−３は、サムネイル表示部に撮影者情報をアイコン表示した一例を示すイメージ図である。
【００３７】
図６−１において、（ａ）は、撮影者Ａが撮影したサムネイルに撮影者Ａの情報をアイコンとして表示した一例である。縮小表示したサムネイルの左上に撮影者情報を表すアイコンを表示することで、利用者に撮影者情報を提供している。図６−１（ｂ）は、図６−１（ａ）と同様に撮影者Ｂが撮影したサムネイルに撮影者Ｂの情報をアイコンとして表示した一例である。
【００３８】
図６−２は、ディスプレイ１０９に画像リサイズ部１０３で縮小を行った画像のサムネイル一覧表示のイメージ図である。撮影者Ａが撮影したサムネイルが７枚、撮影者Ｂが撮影したサムネイルが５枚、計１２枚のサムネイルが入り混じっている。
【００３９】
図６−３は、図６−２で示された撮影者Ａと撮影者Ｂの情報をもつ１２枚のＩＮＤＥＸ表示から、撮影者Ｂが撮影した画像ファイルだけをソートしてディスプレイ１０９に計６枚を一覧表示した場合のイメージ図である。
【００４０】
図７は、本発明の編集時に、各撮影者による統計撮影時間を表示する場合のシステムコントローラ１０１の動作フローチャートである。図７において、まず、記憶媒体１１７に記録されている画像データの後ろに格納された各撮影者情報をそれぞれ検索する（Ｓ７０１）。それぞれの撮影者（撮影者Ａ、撮影者Ｂ、撮影者Ｃ）に対応するサムネイルの付加情報の中から統計撮影時間データを読み出す（Ｓ７０３）。そして、読みだした統計撮影時間データを円グラフ化し、ディスプレイ１０９に表示する（Ｓ７０５）
図８は、各撮影者の統計撮影時間を表す円グラフである。録画した画像ファイルの後ろに格納された撮影者情報を読み出すことで、各撮影者による撮影時間を円グラフ化できる。
【００４１】
これにより利用者は、各撮影者による統計撮影時間などを視覚的に判別することができ、また各撮影者がどの程度撮影しているのかを視覚的に判別することが出来る。
【００４２】
以上述べてきたように、本実施形態では画像データの表示方法として、各撮影者別のサムネイル一覧表示が可能となっており、ユーザは一覧表示されている画像データから、目的の撮影者情報をもつ画像データを選択することが出来、またその撮影者情報から各撮影者別の撮影統計時間を知ることが出来る。
【図面の簡単な説明】
【００４３】
【図１】本発明のシステム構成の一例を示す概略ブロック図
【図２】画像ファイルの構成図
【図３】撮影者リストの構成図
【図４】本発明の録画時におけるシステムコントローラ１０１の動作フローチャート
【図５】本発明の編集時に、撮影者Ａのサムネイルだけを表示する場合のシステムコントローラ１０１の動作フローチャート
【図６−１】サムネイルに撮影者情報をアイコン表示した一例を示すイメージ図
【図６−２】サムネイルに撮影者情報をアイコン表示した一例を示すイメージ図
【図６−３】サムネイルに撮影者情報をアイコン表示した一例を示すイメージ図
【図７】本発明の編集時に各撮影者による統計撮影時間を表示する場合のシステムコントローラ１０１の動作フローチャート
【図８】各撮影者の統計撮影時間を表す円グラフ
【符号の説明】
【００４４】
１０１  システムコントローラ
１０３  画像リサイズ部
１０５  デコーダ部
１０７  指紋センサ
１０９  ディスプレイ
１１１  操作キー
１１３  画像メモリ
１１５  記録媒体とのインタフェース部
１１７  記録媒体
【図１】
2005260441.tif 000003
【図２】
2005260441.tif 000004
【図３】
2005260441.tif 000005
【図４】
2005260441.tif 000006
【図５】
2005260441.tif 000007
【図６−１】
2005260441.tif 000008
【図６−２】
2005260441.tif 000009
【図６−３】
2005260441.tif 000010
【図７】
2005260441.tif 000011
【図８】
2005260441.tif 000012